(57)【要約】【課題】硬貨の引き抜きを可及的に防止する硬貨選別装置を提供する。【解決手段】硬貨投入口５から投入された硬貨を案内する硬貨案内通路４と、硬貨案内通路４に案内された硬貨Ｘが硬貨投入口５から引き抜かれることを防止する錘式レバーとを具えた硬貨選別装置１において、前記錘式レバーは、硬貨案内通路４に臨んで互いに対向して二本配設され、かつ該二本の錘式レバー１３、１５はその各先端部１３ａ、１５ａが硬貨案内通路４の側方からみて互いに交差するように配置されるとともに、各錘式レバー１３、１５の先端部１３ａ、１５ａは対向する硬貨案内通路４の壁面４ｂ、４ａにそれぞれ当接するように配設されている。【選択図】　図４
2004094332.tif 000002
【特許請求の範囲】
【請求項１】
硬貨投入口から投入された硬貨を案内する硬貨案内通路と、該硬貨案内通路に案内された硬貨が前記硬貨投入口から引き抜かれることを防止する錘式レバーであって、軸を中心に回動自在に支承され、かつ錘が配設された後端部によって先端部が前記硬貨案内通路内で前記軸を中心に一方向へ回転する錘式レバーとを具えた硬貨選別装置において、
前記錘式レバーは、前記硬貨案内通路に臨んで互いに対向して二本配設され、かつ該二本の錘式レバーはその前記各先端部が前記硬貨案内通路の側方からみて互いに交差するように配置されるとともに、前記各錘式レバーの前記先端部は対向する前記硬貨案内通路の壁面にそれぞれ当接するように配設されていることを特徴とする硬貨選別装置。
【発明の詳細な説明】
【０００１】
【発明の属する技術分野】
この発明は、自動販売機、両替機、サービス機器等に使用され、投入硬貨を金種別に選別収容するとともに、選別収容された硬貨を釣銭として払い出す硬貨処理装置に関し、特に、投入硬貨の正偽と正貨の金種を選別する硬貨選別装置に関する。
【０００２】
【従来の技術】
自動販売機、両替機、サービス機器等（以下、「自動販売機等」という。）には、従来から、投入硬貨を金種別に選別収容するとともに選別収容された硬貨を釣銭として払い出す硬貨処理装置が配設されており、該硬貨処理装置には、一般に、投入硬貨の正偽と正貨の金種を選別する硬貨選別装置が配設されている。
【０００３】
この従来の硬貨選別装置３１には、その要部概念正面図を示す図８のように、硬貨投入口５から投入された硬貨Ｘを案内する硬貨案内通路４が配設されており、この硬貨案内通路４には、硬貨Ｘの正偽および正貨の金種を識別する硬貨識別手段８が配設されている。
この従来の硬貨選別装置３１では、硬貨投入口５から投入された硬貨Ｘが、硬貨案内通路４内に案内され、硬貨識別手段８により正貨であると識別されると、該硬貨Ｘを、硬貨案内通路４の下流に位置する図示せぬ正貨案内通路に案内するとともに、自動販売機等から商品を排出する。また、正貨案内通路に案内された硬貨Ｘは、正貨の金種に応じて、金種別に配設された図示せぬ各コインチューブへ収容される。
【０００４】
一方、投入された硬貨Ｘが硬貨識別手段８により偽貨と判断されると、該偽貨は硬貨案内通路４の下流の図示せぬ偽貨案内通路へ案内され、図示せぬ硬貨払出し口から返却される。
【０００５】
また、このような動作を行う従来の硬貨選別装置３１では、吊り糸２１（図９）を結び付けた硬貨Ｘを硬貨投入口５に投入し、該硬貨Ｘが硬貨識別手段８により正貨であると識別されて商品が排出された後、硬貨Ｘを吊り糸２１を介して硬貨投入口５から引き抜いて、実際の取引きを行わずに商品を盗み取るいたずらがされる場合がある。
【０００６】
そのため、従来の硬貨選別装置３１では、図８及び図９で示すように、通常、硬貨識別手段８（図８）の下流に位置する硬貨案内通路４の一方の壁面４ａに、１本の板片を具えたレバー４３を軸４２を介し回動可能に支承させるとともに、該レバー４３の後端部４３ｂに配設した錘の重力によって、レバー４３の先端部４３ａを硬貨案内通路４内で軸４２を中心に一方向（図９では反時計方向）に回転させるようにし（以下、この構造のレバーを「錘式レバー」という。）、その先端部４３ａを初期状態において硬貨案内通路４の他方の壁面４ｂに当接させるようにしている。なお、図９は、図８の硬貨選別装置の要部概念断面図で、特に、硬貨投入口５に投入した硬貨Ｘが、錘式レバー４３に到達した様子を示す図である。この図９では、硬貨選別手段８の図示を省略している。
【０００７】
この錘式レバー４３を具えた従来の硬貨選別装置３１によると、図９で示すように、硬貨投入口５から投入され、硬貨識別手段８によって正貨であると識別された硬貨Ｘは、該硬貨Ｘの重力によって錘式レバー４３の先端部４３ａを押圧し、該錘式レバー４３を軸４２を中心に時計方向へ回転させてその先端部４３ａを硬貨案内通路４から退避させるので、該硬貨Ｘは錘式レバー４３を通過することができる一方、図１０で示すように錘式レバー４３を通過した硬貨Ｘを、吊り糸２１を介し硬貨投入口５から引き抜こうとすると、錘式レバー４３は既に後端部４３ｂの錘の重力によって先端部４３ａを軸４２を中心に反時計方向（一方向）に回転して該先端部４３ａを硬貨案内通路４の他方の壁面４ｂに当接させる初期状態に復帰しているので、硬貨Ｘの一部は錘式レバー４３の先端部４３ａに係合し、これにより該硬貨Ｘが硬貨案内通路４内を逆流して硬貨投入口５から引き抜かれることは可及的に防止される。
したがって、硬貨投入口５から投入された硬貨Ｘが硬貨識別手段８（図８）により正貨と識別され、該識別に基づき商品が排出された後、該硬貨Ｘを引き抜いて実際の取り引きを行わずに商品を盗み取るいたずらも可及的に阻止される。
【０００８】
【発明が解決しようとする課題】
ところで、従来の硬貨選別装置３１は、上述のように１本の錘式レバー４３を具え、該錘式レバー４３の先端部４３ａを硬貨Ｘの一部に係合させて硬貨Ｘの引き抜きを防止するようにしていたから、図１１で示すように、この従来の硬貨選別装置３１が誤って自動販売機等に対し傾いた状態で設置された場合には、錘式レバー４３の先端部４３ａが硬貨案内通路４の他方の壁面４ｂに当接せず、そのため、硬貨Ｘの引き抜き動作を行うと、硬貨Ｘが該錘式レバー４３の先端部４３ａに係合せずに該先端部４３ａと硬貨案内通路４の他方の壁面４ｂとの間を通過して硬貨投入口５から引き抜かれるという問題があった。
なお、この問題は、硬貨投入口５から投入された硬貨Ｘが硬貨識別手段８により正貨と識別され、該硬貨Ｘが正貨であるとの識別に基づき商品が排出された後に該硬貨Ｘを引き抜いて、実際の取引きを行わずに商品を盗み取るいたずらがされる問題を依然として引き起こしていた。
【０００９】
上述した事情に鑑み、この発明は、硬貨の引き抜きを可及的に防止する硬貨選別装置を提供することを目的とする。
【００１０】
【課題を解決するための手段】
上述した課題を解決するため、この発明では、硬貨投入口から投入された硬貨を案内する硬貨案内通路と、該硬貨案内通路に案内された硬貨が前記硬貨投入口から引き抜かれることを防止する錘式レバーであって、軸を中心に回動自在に支承され、かつ錘が配設された後端部によって先端部が前記硬貨案内通路内で前記軸を中心に一方向へ回転する錘式レバーとを具えた硬貨選別装置において、前記錘式レバーは、前記硬貨案内通路に臨んで互いに対向して二本配設され、かつ該二本の錘式レバーはその前記各先端部が前記硬貨案内通路の側方からみて互いに交差するように配置されるとともに、前記各錘式レバーの前記先端部は対向する前記硬貨案内通路の壁面にそれぞれ当接するように配設されている。
【００１１】
【発明の実施の形態】
以下、この発明に係る硬貨選別装置について、実施例で詳述する。
【００１２】
図１は、この発明に係る硬貨選別装置１の要部概念正面図であり、図８乃至図１１と同一部分を同一符号で示している。
図１で示すように、この硬貨選別装置１には、メインプレート２とゲートプレート３との間に、硬貨案内通路４が形成されており、この硬貨案内通路４は、ゲートプレート３に形成されたガイドリブ３ａから構成されている。
また、硬貨案内通路４には、硬貨案内通路４に案内された硬貨Ｘの正偽および正貨の金種を識別する硬貨識別手段８が配設されている。
【００１３】
また、硬貨識別手段８の下流に位置する硬貨案内通路４には、硬貨案内通路４に案内された硬貨Ｘが、硬貨投入口５から引き抜き部材である吊り糸２１（図２）を介して引き抜かれることを防止する硬貨引き抜き防止手段１１が配設されている。
【００１４】
この硬貨引き抜き防止手段１１は、図１の硬貨選別装置１の要部拡大概念断面図である図２で示すように、硬貨案内通路４に臨んで配設された第一の錘式レバー１３と第二の錘式レバー１５とから構成されている。なお、図２では、硬貨識別手段８の図示を省略している。
【００１５】
このうち、第一の錘式レバー１３は、硬貨案内通路４の一方の壁面４ａであるゲートプレート３に軸１２を介し回動自在に支承されている。また、第一の錘式レバー１３は、その後端部１３ｂに錘を配設しており、後述するように、第一の錘式レバー１３の先端部１３ａは、後端部１３ｂの錘の重力によって、硬貨案内通路４内で軸１２を中心に反時計方向（一方向）に回転可能である。
【００１６】
また、第二の錘式レバー１５は、硬貨案内通路４の他方の壁面４ｂであるメインプレート３に軸１４を介し回動可能に支承されている。また、第二の錘式レバー１５は、その後端部１５ｂに錘を配設しており、後述するように、第二の錘式レバー１５の先端部１５ａは、後端部１５ｂの錘の重力によって、硬貨案内通路４内で軸１４を中心に時計方向（他方向）に回転可能である。
【００１７】
また、第一の錘式レバー１３と第二の錘式レバー１５は、図２で示すように、第一の錘式レバー１３の先端部１３ａと第二の錘式レバー１５の先端部１５ａとが硬貨案内通路４の側方からみて互いに交差させるように配置されている。
また、第一の錘式レバー１３の先端部１３ａは、該先端部１３ａと対向する硬貨案内通路４の他方の壁面４ｂに当接するように配設されており、第二の錘式レバー１５の先端部１５ａは、該先端部１５ａと対向する硬貨案内通路４の一方の壁面４ａに当接するように配設されている。
【００１８】
また、第一の錘式レバー１３と第二の錘式レバー１５とは硬貨案内通路４に臨んで互いに対向して配置されている。具体的には、第一の錘式レバー１３と第二の錘式レバー１５は、その先端部１５ａと先端部１３ａとの間の距離Ｌ（図５）が、硬貨Ｘの直径Ｒより短い長さとなるように設定されている（Ｌ＜Ｒ）。
【００１９】
次に、この硬貨選別装置１の作用を説明し、併せて、構成をより詳細に説明する。
図２で示す初期状態において、硬貨引き抜き防止手段１１の第一の錘式レバー１３は、後端部１３ｂの錘の重力によって、先端部１３ａを硬貨案内通路４の他方の壁面４ｂに当接させている。また、この初期状態において、硬貨引き抜き防止手段１１の第二の錘式レバー１５も、後端部１５ｂの錘の重力によって、先端部１５ａを硬貨案内通路４の一方の壁面４ａに当接させている。
【００２０】
ここで、図２で示すように硬貨選別装置１の硬貨投入口５から硬貨Ｘ（図１）を投入すると、該硬貨Ｘは、ガイドリブ３ａに沿って硬貨案内通路４内を案内され硬貨識別手段８（図１）を通過した後、硬貨引き戻し手段１１に達する。
【００２１】
すると、図３で示すように、硬貨引き戻し手段１１に達した硬貨Ｘは、該硬貨Ｘの重力によって、第一の錘式レバー１３の先端部１３ａを押圧して第一の錘式レバー１３を軸１２を中心に時計方向に回転させて第一の錘式レバー１３の先端部１３ａを硬貨案内通路４から退避させるとともに、第二の錘式レバー１５の先端部１５ａを押圧して第二の錘式レバー１５を軸１４を中心に反時計方向に回転させて第二の錘式レバー１５の先端部１５ａを硬貨案内通路４から退避させる。したがって、図３で示すように硬貨Ｘは第一の錘式レバー１３の先端部１３ａと硬貨案内通路４の他方の壁面４ｂとの間、及び第二の錘式レバー１５の先端部１５ａと硬貨案内通路の一方の壁面４ａとの間を通過する。
【００２２】
また、このように硬貨引き抜き防止手段１１を通過する硬貨Ｘが、硬貨識別手段８において正貨と識別された硬貨である場合には、該硬貨Ｘは、図示せぬ正偽振り分けレバーによって正貨案内通路（図示しない）に案内され、この硬貨選別装置１を設置している自動販売機等から商品が排出される。
【００２３】
なお、図４で示すように硬貨Ｘが該第一の錘式レバー１３を通過した後、第一の錘式レバー１３は後端部１３ｂの錘の重力により直ちに軸１２を中心に反時計方向に回転し、その先端部１３ａを硬貨案内通路４の他方の壁面４ｂに当接させる初期位置に復帰する。また、第二の錘式レバー１５も該第一の錘式レバー１３を通過した後、後端部１５ｂの錘の重力により直ちに軸１４を中心に時計方向に回転し、その先端部１５ａを硬貨案内通路４の一方の壁面４ａに当接させる初期位置に復帰する。
【００２４】
また、上記正貨案内通路に案内された硬貨Ｘは、硬貨選別装置１に配設された図示せぬ数種類の振分けレバーによって、硬貨識別手段８の識別による金種に応じて、図示せぬ金種別の各硬貨通路へ振分けられ、その後、金種別に配設された対応する図示せぬコインチューブ内に収容される。
【００２５】
また、硬貨識別手段８を通過した硬貨Ｘが、硬貨識別手段８（図１）により偽貨と判断された場合には、該硬貨Ｘは硬貨引き抜き防止手段１１を通過した後、偽貨案内通路へ案内されて図示せぬ硬貨払出し口から返却される。
【００２６】
また、このような硬貨選別装置１では、図４で示すように吊り糸２１が結び付けられた硬貨Ｘが硬貨投入口５から投入され、その硬貨Ｘが硬貨識別手段８によって正貨と判断された場合にも、上述のように、該硬貨Ｘは硬貨案内通路４を通過した後、上記正貨案内通路に案内されるとともに上記自動販売機等から商品が排出されるが、その後、図４及び図４の概念上面図である図５で示すように、この硬貨Ｘを硬貨投入口５から吊り糸２１を介して引き抜こうとすると、第一の錘式レバー１３は後端部１３ｂの錘の重力によって先端部１３ａを他方の壁面４ｂに当接させ、また第二の錘式レバー１５は後端部１５ｂの錘の重力によって先端部１５ａを一方の壁面４ａに当接させる初期位置に既に復帰しているから、硬貨Ｘを引き抜こうとしても、硬貨Ｘが硬貨案内通路４内を逆流することは、硬貨Ｘと第一の錘式レバー１３の先端部１３ａとの係合、及び硬貨Ｘと第二の錘式レバー１５の先端部１５ａとの係合により可及的に阻止される。したがって、この硬貨選別装置１によると、一本の錘式レバー４３（図１０）との係合によって硬貨Ｘの引き抜きを阻止する従来の硬貨選別装置３１に比し、硬貨Ｘの引き抜きを可及的に防止することができる。
【００２７】
また、この硬貨選別装置１では、第一の錘式レバー１３と第二の錘式レバー１５とは硬貨案内通路４に臨んで互いに対向して配置されている、すなわち具体的には、第一の錘式レバー１３と第二の錘式レバー１５は、その先端部１５ａと先端部１３ａとの間の距離Ｌが、硬貨Ｘの直径Ｒより短い長さとなるように設定されており、しかも第一の錘式レバー１３と第二の錘式レバー１５は、各先端部１３ａ、１５ａが硬貨搬送路４の側方からみて互いに交差するように配置されるとともに、第一の錘式レバー１３の先端部１３ａは該先端部１３ａと対向する硬貨案内通路４の他方の壁面４ｂに当接するように配設され、また第二の錘式レバー１５の先端部１５ａは該先端部１５ａと対向する硬貨案内通路４の一方の壁面４ａに当接するように配設されているから、硬貨Ｘを引き抜こうとしても、硬貨Ｘが硬貨案内通路４内を逆流することは、硬貨Ｘと第一の錘式レバー１３の先端部１３ａとの係合、及び該先端部１３ａに係合した硬貨Ｘと第二の錘式レバー１５の先端部１５ａとの係合によって一層可及的に阻止される。そのため、硬貨Ｘの引き抜きをさらに可及的に防止することができる。
【００２８】
また、上述したように硬貨Ｘの引き抜きを防止できることとなると、硬貨投入口５から投入された硬貨Ｘが硬貨識別手段８により正貨と識別された場合に該硬貨Ｘの引き抜きによって実際の取り引きを行わずに商品を盗み取るいたずらも可及的に防止することができる。
【００２９】
また、硬貨選別装置１の要部概念断面図である図６で示すように、この硬貨選別装置１が誤って自動販売機等に対し一方向側へ傾いた状態で設置された場合には、第一の錘式レバー１３の先端部１３ａが硬貨案内通路４の他方の壁面４ｂに当接しない。したがって、仮にこの第一の錘式レバー１３を配設するのみでは、硬貨Ｘの引き抜き動作を行った場合に硬貨Ｘは第一の錘式レバー１３の先端部１３ａに係合せず第一の錘式レバー１３の先端部１３ａと硬貨案内通路４の他方の壁面４ｂとの間を通過して硬貨投入口５から引き抜かれる虞がある。しかしながら、この硬貨選別装置１では、第一の錘式レバー１３に加え、硬貨案内通路４に臨んで該第一の錘式レバー１３に対向する第二の錘式レバー１５を配設するとともに、該第二の錘式レバー１５を、その先端部１５ａが第一の錘式レバー１３の先端部１３ａと交差するように配置し、さらに先端部１５ａを硬貨案内通路４の一方の壁面４ａに当接するように配設したから、硬貨選別装置１が誤って自動販売機等に対し一方向側へ傾いた状態で設置された場合にも、該先端部１５ａは後端部１５ｂの錘の重力によって硬貨案内通路４の一方の壁面４ａに当接し、そのため硬貨Ｘはたとえ第一の錘式レバー１３の先端部１３ａに係合しなくても第二の錘式レバー１５の先端部１５ａに係合することとなり、硬貨Ｘが硬貨投入口５から引き抜かれることは一層可及的に防止される。
【００３０】
したがって、硬貨投入口５から投入された硬貨Ｘが硬貨識別手段８により正貨と識別された場合に該硬貨Ｘの引き抜きによって、実際の取り引きを行わずに商品を盗み取るいたずらも更に可及的に防止することができる。
【００３１】
また、硬貨選別装置１の要部概念断面図である図７で示すように、この硬貨選別装置１が誤って自動販売機等に対し他方向側へ傾いた状態で設置された場合には、第二の錘式レバー１５の先端部１５ａが硬貨案内通路４の一方の壁面４ａに当接しない。したがって、仮にこの第二の錘式レバー１５を配設するのみでは、硬貨Ｘの引き抜き動作を行った場合に硬貨Ｘは第二の錘式レバー１５の先端部１５ａに係合せず第二の錘式レバー１５の先端部１５ａと硬貨案内通路４の一方の壁面４ａとの間を通過して硬貨投入口５から引き抜かれる虞がある。しかしながら、この硬貨選別装置１では、第二の錘式レバー１５に加え、硬貨案内通路４に臨んで該第二の錘式レバー１５に対向する第一の錘式レバー１３を配設するとともに、該第一の錘式レバー１３を、その先端部１３ａが第二の錘式レバー１５の先端部１５ａと交差するように配置し、さらに該先端部１３ａを硬貨案内通路４の他方の壁面４ｂに当接させることとしたから、この硬貨選別装置１が誤って自動販売機等に対し他方向側へ傾いた状態で設置された場合にも、該先端部１３ａは、後端部１３ｂの錘の重力によって硬貨案内通路４の他方の壁面４ｂに当接し、そのため硬貨Ｘはたとえ第二の錘式レバー１５の先端部１５ａに係合しなくても第一の錘式レバー１３の先端部１３ａに係合することとなり、これにより、該硬貨Ｘが硬貨投入口５から引き抜かれることは一層可及的に防止される。
したがって、硬貨投入口５から投入された硬貨Ｘが硬貨識別手段８により正貨と識別された場合に該硬貨Ｘの引き抜きによって、実際の取り引きを行わずに商品を盗み取るいたずらも更に可及的に防止することができる。
【００３２】
このように本発明の硬貨選別装置１には硬貨案内通路４に臨んで互いに対向する二本の錘式レバー、すなわち第一の錘式レバー１３と第二の錘式レバー１５とが配設されるとともに、この第一の錘式レバー１３と第二の錘式レバー１５は、各先端部１３ａ、１５ａが硬貨案内通路４の側方からみて互いに交差するように配置され、しかも第一、第二の錘式レバー１３、１５の先端部１３ａ、１５ａは対向する硬貨案内通路４の壁面４ｂ、４ａにそれぞれ当接するように配設されているから、この硬貨選別装置１が誤って自動販売機等に対し一方向側または他方向側へ傾いた状態で設置された場合に、硬貨案内通路４に案内された硬貨Ｘを引き抜き部材である吊り糸２１を介して硬貨投入口５から引き抜く際、第一の錘式レバー１３の先端部１３ａまたは第二の錘式レバー１５の先端部１５ａに確実に係合させることができる。
したがって、硬貨投入口５から硬貨Ｘが引き抜かれることを一層可及的に防止でき、またこれにより、硬貨投入口５から投入された硬貨Ｘが硬貨識別手段８により正貨と識別された場合に該硬貨Ｘの引き抜きによって実際の取り引きを行わずに商品を盗み取るいたずらも更に可及的に防止することができる。
【００３３】
なお、この硬貨選別装置１において、第二の錘式レバー１５の先端部１５ａと第一の錘式レバー１３の先端部１３ａとの間の距離Ｌ（図５）を、この硬貨選別装置で取り扱う各種正貨のうち最小の直径を有する硬貨の該直径（たとえば、最小の直径を有する硬貨が硬貨Ｘである場合には硬貨Ｘの直径Ｒ）より短い長さとなるように設定すると、該最小の直径より大きい各種正貨の硬貨の引き抜きを防止することができ、またこれにより、硬貨投入口５から投入された各種硬貨の引き抜きによって実際の取り引きを行わずに商品を盗み取るいたずらも可及的に防止することができる。
【００３４】
なお、この実施例の硬貨選別装置１では、硬貨引き抜き防止手段１１を、硬貨識別手段８の下流に配設することとしたが、この発明では、硬貨引き抜き防止手段１１の配設位置は、硬貨を案内する硬貨通路であればよく、硬貨引き抜き防止手段１１がどの硬貨通路に配設された場合であっても、硬貨の引き抜きを防止することができる。
なお、上述したように、特に本実施例の硬貨選別装置１のように硬貨引き抜き防止手段１１を硬貨Ｘの正偽および正貨の金種を識別する硬貨識別手段８の下流であって正貨を上記正貨案内通路の上流に位置する硬貨案内通路４に配設すると、硬貨投入口５から投入された硬貨Ｘが硬貨識別手段８により正貨と識別されて上記正貨案内通路に案内されるとともに商品が排出された後、該硬貨Ｘを吊り糸２１によって硬貨投入口５から引き抜くこと、すなわち、硬貨投入口５から投入された硬貨Ｘによって実際の取り引きを行わずに商品を盗み取るいたずらも更に可及的に防止することができる。
【００３５】
また、この硬貨選別装置１によると、該硬貨選別装置１を配設した自動販売機等に対し外部から振動が加えられ、第一の錘式レバー１３の先端部１３ａまたは第二の錘式レバー１５の先端部１５ａが揺動する場合にも、硬貨Ｘを第一の錘式レバー１３の先端部１３ａまたは第二の錘式レバー１５の先端部１５ａに確実に係合させることができ、従来の硬貨選別装置３１（図１０）のように、錘式レバー４３の揺動によって、一度錘式レバー４３を通過した硬貨Ｘが該錘式レバー４３の先端部４３ａと硬貨案内通路４の壁面４ｂとの間を通過して硬貨Ｘが硬貨投入口５から引き抜かれることや、硬貨投入口５から投入された硬貨Ｘが硬貨識別手段８により正貨と識別された場合に該硬貨Ｘの引き抜きによって実際の取り引きを行わずに商品を盗み取られることを可及的に防止することができる。
【００３６】
なお、上述した実施例の硬貨選別装置１では、図５で示すように硬貨案内通路４に臨んで互いに対向する第一の錘式レバー１３と第二の錘式レバー１５を、図２で示すように、各先端部１３ａ、１５ａが硬貨案内通路４の側方からみて互いに交差するように配置するとともに、各錘式レバー１３、１５の先端部１３ａ、１５ａを対向する硬貨案内通路４の壁面４ｂ、４ａにそれぞれ当接するように配設し、しかも、第一の錘式レバー１３と第二の錘式レバー１５を硬貨案内通路４の側方からみて一直線上に配置することとしたが、この発明の硬貨選別装置では、第一の錘式レバー１３と第二の錘式レバー１とが硬貨案内通路４の側方からみて一直線上に配置されることは必ずしも必要ではない。
たとえば、硬貨案内通路４に臨んで互いに対向する本発明の第一の錘式レバー１３と第二の錘式レバー１５は、各先端部１３ａ、１５ａが硬貨案内通路４の側方からみて互いに交差するように配置されており、各錘式レバー１３、１５の先端部１３ａ、１５ａは対向する硬貨案内通路４の壁面４ｂ、４ａにそれぞれ当接するように配設されているものであれば、第一の錘式レバー１３と第二の錘式レバー１５が硬貨案内通路４の側方からみて若干上下にずれて配置されているものであってもよい。
【００３７】
なお、上述した実施例の硬貨選別装置１では、硬貨引き抜き防止の対象硬貨として、硬貨識別手段により正貨と識別され、正貨案内通路に案内された硬貨について説明したが、この発明の硬貨選別装置では、硬貨引き抜き防止の対象硬貨は、正貨に限定されないことはいうまでもない。
【００３８】
【発明の効果】
以上説明したように、この発明の硬貨選別装置３１では、錘式レバーが硬貨案内通路に臨んで互いに対向して二本配設され、かつ該二本の錘式レバーはその各先端部が硬貨案内通路の側方からみて互いに交差するように配置されるとともに、各錘式レバーの先端部は対向する硬貨案内通路の壁面にそれぞれ当接するように配設されているから、この硬貨選別装置が誤って自動販売機等に対し傾いた状態で設置された場合であっても、硬貨案内通路に案内された硬貨を硬貨投入口から引き抜く際、該硬貨を錘式レバーに確実に係合させることができる。
【００３９】
したがって、硬貨投入口から硬貨が引き抜かれることを一層可及的に防止でき、またこれにより、硬貨投入口から投入された硬貨が硬貨識別手段により正貨と識別された場合に該硬貨の引き抜きによって実際の取り引きを行わずに商品を盗み取るいたずらも更に可及的に防止することができる。
【図面の簡単な説明】
【図１】図１は、この発明に係る硬貨選別装置の要部概念正面図。
【図２】図２は、図１の硬貨選別装置の要部拡大概念断面図。
【図３】図３は、図２の硬貨選別装置において、硬貨が第一及び第二の錘式レバーを通過する様子を示す図。
【図４】図４は、図２の硬貨選別装置において、第一及び第二の錘式レバーを通過した硬貨を引き抜こうとした場合に該硬貨が第一及び第二の錘式レバーに係合する様子を示す図。
【図５】図５は、図４の硬貨選別装置の概念上面図。
【図６】図６は、図２の硬貨選別装置が自動販売機等に対し一方向側に傾いた状態で設置された様子を示す図であって、第一および第二の錘式レバーを通過した硬貨を引き抜こうとした場合に、該硬貨が第二の錘式レバーに係合している様子を示す図。
【図７】図７は、図２の硬貨選別装置が自動販売機等に対し他方向側に傾いた状態で設置された様子を示す図であって、第一および第二の錘式レバーを通過した硬貨を引き抜こうとした場合に、該硬貨が第一の錘式レバーに係合している様子を示す図。
【図８】図８は、従来の硬貨選別装置の要部概念正面図。
【図９】図９は、図８の硬貨選別装置において、硬貨が錘式レバーに到達した様子を示す図。
【図１０】図１０は、図８の硬貨選別装置において、錘式レバーを通過した硬貨を引き抜こうとした場合に該硬貨が錘式レバーに係合している様子を示す図。
【図１１】図１１は図８の硬貨選別装置が自動販売機等に対し傾いた状態で設置された様子を示す図であって、特に、錘式レバーを通過した硬貨を引き抜こうとした場合に該硬貨が錘式レバーに係合せず、引き抜きが許容される様子を示す図。
【符号の説明】
１…硬貨選別装置
４…硬貨案内通路
４ａ、４ｂ…硬貨案内通路の壁面
５…硬貨投入口
１３…第一の錘式レバー（錘式レバー）
１３ａ…第一の錘式レバーの先端部
１３ｂ…第一の錘式レバーの後端部
１５…第二の錘式レバー（錘式レバー）
１５ａ…第二の錘式レバーの先端部
１５ｂ…第二の錘式レバーの後端部
Ｘ…硬貨
【図１】
2004094332.tif 000003
【図２】
2004094332.tif 000004
【図３】
2004094332.tif 000005
【図４】
2004094332.tif 000006
【図５】
2004094332.tif 000007
【図６】
2004094332.tif 000008
【図７】
2004094332.tif 000009
【図８】
2004094332.tif 000010
【図９】
2004094332.tif 000011
【図１０】
2004094332.tif 000012
【図１１】
2004094332.tif 000013
【手続補正書】
【提出日】平成14年9月4日(2002.9.4)
【手続補正１】
【補正対象書類名】図面
【補正対象項目名】全図
【補正方法】変更
【補正の内容】
【図１】
2004094332.tif 000014
【図２】
2004094332.tif 000015
【図３】
2004094332.tif 000016
【図４】
2004094332.tif 000017
【図５】
2004094332.tif 000018
【図６】
2004094332.tif 000019
【図７】
2004094332.tif 000020
【図８】
2004094332.tif 000021
【図９】
2004094332.tif 000022
【図１０】
2004094332.tif 000023
【図１１】
2004094332.tif 000024